(57)【要約】【課題】様々な形のクラウンとブリムとを自在に組み合わせることによって、色々なバリエーションの帽子を構成することが可能な、試着用の帽子サンプルセットを提供する。【解決手段】クラウン２０とブリム３０とを組み合わせて試着用帽子１０を構成する帽子サンプルセットであって、クラウンのパーツとブリムのパーツとを含み、クラウンのパーツおよびブリムのパーツの少なくとも一方が、複数種類のパーツを含み、前記クラウンのパーツと前記ブリムのパーツとは、結合手段４０によって相互に脱着が可能である、帽子サンプルセット。【選択図】図１
0003210110.tif 000002
【実用新案登録請求の範囲】
【請求項１】
クラウンとブリムとを組み合わせて試着用帽子を構成する帽子サンプルセットであって、
クラウンのパーツとブリムのパーツとを含み、
クラウンのパーツおよびブリムのパーツの少なくとも一方が、複数種類のパーツを含み、
前記クラウンのパーツと前記ブリムのパーツとは、結合手段によって相互に脱着が可能である、帽子サンプルセット。
【請求項２】
前記クラウンのパーツおよびブリムのパーツの両方が、複数種類のパーツを含む、請求項１に記載の帽子サンプルセット。
【請求項３】
前記結合手段が面ファスナーである、請求項１または２に記載の帽子サンプルセット。
【請求項４】
クラウンとブリムとを組み合わせて構成される試着用帽子であって、
前記クラウンと前記ブリムとは、結合手段によって相互に脱着が可能である、試着用帽子。
【請求項５】
前記結合手段が面ファスナーである、請求項４に記載の試着用帽子。
【考案の詳細な説明】
【技術分野】
【０００１】
本考案は、試着用の帽子および帽子サンプルセットに関し、特に、クラウン（頭部分）とブリム（つば）とを任意に組み合わせることができる帽子サンプルセットに関する。
【背景技術】
【０００２】
従来、帽子はファッションの一部として多くの人に取り入れられているが、自分にどのような帽子が似合うのかがわからず、日常的なファッションアイテムとして気軽に楽しむにはまだ敷居が高い、と感じている人も多いのが実情である。また、帽子売り場等で帽子を試着することはできても、売り場の帽子を手当たり次第に試着するだけでは、自分に本当に似合うスタイルを見つけ出すことは難しい。
【考案の概要】
【考案が解決しようとする課題】
【０００３】
そこで、本考案は、様々な形のクラウンとブリムとを自在に組み合わせることによって、色々なバリエーションの試着用帽子を構成することが可能な、試着用の帽子サンプルセットを提供することを目的とする。
【課題を解決するための手段】
【０００４】
本考案に係る帽子サンプルセットは、クラウンとブリムとを組み合わせることで試着用帽子を構成する帽子サンプルセットである。クラウンとブリムとは、例えば面ファスナーやスナップボタン等の結合手段によって、相互に脱着が可能である。この帽子サンプルセットは、クラウンのパーツとブリムのパーツとを含んでいるが、クラウンのパーツおよびブリムのパーツの少なくとも一方が、複数種類のパーツを含む。すなわち、以下のような組み合わせが考えられる。（１）クラウンのパーツが複数に対してブリムのパーツが１つである組み合わせ、（２）クラウンのパーツが１つに対してブリムのパーツが複数である組み合わせ、（３）クラウンのパーツが複数に対して、ブリムのパーツも複数である組み合わせ。
【０００５】
例えば、上記（１）の組み合わせによれば、１つのブリムに対して、クラウンの複数のパーツを順次組み合わせることによって、クラウンのスタイルが異なる様々な試着用帽子を構成することができる。また、上記（２）の組み合わせによれば、１つのクラウンに対して、ブリムの複数のパーツを順次組み合わせることによって、ブリムのスタイルが異なる様々な試着用帽子を構成することができる。上記（３）の組み合わせによれば、複数種類のクラウンとブリムとを様々に組み合わせることにより、よりバリエーション豊かな試着用帽子を構成することができる。
【０００６】
本考案に係る試着用帽子は、クラウンとブリムとを組み合わせて構成される試着用帽子であって、前記クラウンと前記ブリムとは、結合手段によって相互に脱着が可能である。したがって、本考案に係る試着用帽子は、クラウンまたはブリムの単体でも試着が可能である。
【考案の効果】
【０００７】
本考案によれば、様々な形のクラウンとブリムとを組み合わせることによって、色々なバリエーションの帽子を自在に構成することが可能な、試着用の帽子サンプルセットを提供することができる。
【図面の簡単な説明】
【０００８】
【図１】本考案に係る試着用帽子の概略構成を示す図である。
【図２】本考案に係る試着用帽子のクラウンの一例を示す図である。
【図３】本考案に係る試着用帽子のブリムの一例を示す図である。
【図４】本考案に係る試着用帽子のサンプルセットに含まれる複数のクラウンの例を示す図である。
【図５】本考案に係る試着用帽子のサンプルセットに含まれる複数のブリムの例を示す図である。
【考案を実施するための形態】
【０００９】
以下、本考案の具体的な実施方法について図面を参照しながら説明する。
【００１０】
図１に、本考案の一実施形態に係る試着用帽子を示す。図１に示すように、試着用帽子１０は、クラウン２０とブリム３０とを、面ファスナー４０によって結合して構成されている。クラウン２０とブリム３０とは、任意の素材で形成することができる。クラウン２０とブリム３０とは、任意の色および任意の柄で形成することができるが、白やオフホワイト等の無地柄で形成すれば、色や柄に惑わされずに、試着者に似合う形を見定める用途に適した試着用帽子を構成できる。
【００１１】
図２に示すように、クラウン２０の内側下端部の複数箇所に、面ファスナー４０が取り付けられている。図２の例では、面ファスナー４０が前後左右の４箇所に設けられているが、面ファスナーの個数および配置箇所は、クラウンとブリムとを試着に耐えられる強度で結合できる範囲において、任意である。クラウン２０は、例えば、表裏二重仕立ての布製とすることができる。図２に示すクラウン２０には、スリット２１が設けられている。このようにスリット２１を設けることにより、様々な試着者の頭部のサイズに適合させることができる。ただし、スリット２１は必須ではない。
【００１２】
図３に示すように、ブリム３０の縁部（サイズリボン）の外側に、面ファスナー４０が取り付けられている。ブリム３０の面ファスナー４０は、クラウン２０の面ファスナー４０と合致する位置に配置されている。なお、図３では図示されていないが、ブリム３０においても、様々な試着者のサイズに適合させるために、スリット等が設けられていても良い。
【００１３】
なお、図１〜図３では、クラウン２０とブリム３０とのそれぞれ４箇所に設けた面ファスナー４０によって、クラウンとブリムとを結合する構成を例示した。しかし、クラウンとブリムとの結合構成はこれに限定されない。例えば、ブリム３０のサイズリボンの全周に面ファスナーを設けて、クラウン２０の複数箇所に設けられた面ファスナーと結合するようにしても良い。また、面ファスナー以外に、スナップボタン、フック、またはジッパー等、様々な他の結合手段を使用しても良い。
【００１４】
図４に、試着用帽子サンプルセットに含まれるクラウン２０のバリエーションの例を示す。なお、図４に示したクラウンの形状および個数はあくまでも一例であって、任意の形状および個数のクラウンをサンプルセットに含ませることができる。このように、様々な形状のクラウンを揃えることによって、試着者は、どのような形状のクラウンが自分に似合うのかを、容易に知ることができる。
【００１５】
また、図５に、試着用帽子サンプルセットに含まれるブリム３０のバリエーションの例を示す。図５に示したブリムの形状および個数もあくまでも一例であって、任意の形状および個数のブリムをサンプルセットに含ませることができる。このように、様々な形状のブリムを揃えることによって、試着者は、どのような形状のブリムが自分に似合うのかを、容易に知ることができる。
【００１６】
なお、図４および図５においては図示を省略しているが、図４に示した複数のクラウンのそれぞれと、図５に示した複数のブリムのそれぞれとは、図１〜図３で説明した面ファスナー４０を備えており、面ファスナー４０によって任意の組み合わせで結合して、試着用帽子を構成することができる。すなわち、図４および図５の例では、１０種類のクラウンと６種類のブリムとを備えており、合計で６０パターンの試着用帽子を構成することができる。
【００１７】
図４のクラウン２０および図５のブリム３０との組み合わせからなる帽子サンプルセットを用いることにより、試着者は、自分に最も似合うクラウンとブリムとの組み合わせを容易に知ることができる。最も似合うクラウンとブリムとの組み合わせがわかれば、試着者は、その組み合わせのクラウン形状およびブリム形状にしたがって、似たような帽子を購入したり、同じ形状の帽子の製作をオーダーしたりすることができる。
【００１８】
なお、帽子サンプルセットに、クラウンおよびブリム以外のパーツ（例えばリボン等の装飾パーツ）を含ませても良い。
【００１９】
また、上記の実施形態では、複数のクラウンと複数のブリムとを含む帽子サンプルセットを例示したが、複数のクラウンに対してブリムが１つだけの帽子サンプルセットも、本考案の範囲に含まれる。あるいは、１つのクラウンと複数のブリムとを含む帽子サンプルセットも、本考案の範囲に含まれる。
【００２０】
なお、本考案にかかる試着用帽子および帽子サンプルセットは、例えば、試着者に対して似合う帽子を提案するアドバイザー等が、利用することができる。すなわち、アドバイザーは、例えば、まず、試着者の好みや希望、あるいは、アドバイザー自身の見立て等に応じていずれかのクラウンを選び、適当なブリムと組み合わせて試着用帽子を構成し、試着者に被らせてみる。そして、試着者の感想を聞いて相談しながら、適宜、クラウンとブリムとを取り替えて試着を繰り返す。このようにして、本考案の帽子サンプルセットを用いれば、アドバイザーは、試着者に最も似合う帽子のスタイルを提案することができる。
【００２１】
上述したものは、本考案の好ましい実施例に過ぎず、本考案の実用新案登録請求の範囲を限定するためのものではなく、当分野の技術者であれば、本考案の明細書及び図面内容に基づいてなされる変更および付加は、いずれも本考案の実用新案登録請求の範囲内に含まれるものと理解するであろう。
【符号の説明】
【００２２】
１０：試着用帽子、２０：クラウン、３０：ブリム、４０：面ファスナー
【図１】
0003210110.tif 000003
【図２】
0003210110.tif 000004
【図３】
0003210110.tif 000005
【図４】
0003210110.tif 000006
【図５】
0003210110.tif 000007